(57)【要約】【課題】運搬が容易で、かつ比較的狭い昇降路内スペースにも設置可能な小型、軽量のエレベータの主ロープ張力調整装置の提供。【解決手段】乗かごおよびつり合いおもりを懸垂する複数の主ロープの先端に、支持部材７の反対側へ端を導出したシンブルロッド１０をそれぞれ連結し、これらのシンブルロッド１０に螺合したナット１６、１７と支持部材７との間にばね部材１９を介在させて成るエレベータにあって、各シンブルロッド１０に係合し、ばね部材１９の上端側に当接する第１のプレート２０と、各シンブルロッド１０に係合し、ナット１７の下端側に当接する第２のプレート２１と、第１のプレート２０と第２のプレート２１との間に配置され、第１のプレート２０と第２のプレート２１との間隔を押し広げる方向に伸張可能なジャッキ２２とを設けた構成にしてある。【選択図】図１
2006124064.tif 000002
【特許請求の範囲】
【請求項１】
乗かごおよびつり合いおもりを懸垂する複数の主ロープの先端に、支持部材の反対側へ端を導出したシンブルロッドをそれぞれ連結し、これらのシンブルロッドに螺合したナットと上記支持部材との間にばね部材を介在させて成るエレベータにあって、上記複数の主ロープの張力を均等に調整するエレベータの主ロープ張力調整装置において、
上記各シンブルロッドに係合し、上記ばね部材の上端側に当接する第１のプレートと、上記各シンブルロッドに係合し、上記ナットの下端側に当接する第２のプレートと、上記第１のプレートと上記第２のプレートとの間に配置され、上記第１のプレートと上記第２のプレートとの間隔を押し広げる方向に伸張可能なジャッキとを設けたことを特徴とするエレベータの主ロープ張力調整装置。
【請求項２】
上記ジャッキは、上記第１のプレート若しくは上記第２のプレートのどちらか一方と一体的に設けられることを特徴とする請求項１記載のエレベータの主ロープ張力調整装置。
【発明の詳細な説明】
【技術分野】
【０００１】
本発明は、乗かごおよびつり合いおもりを懸垂する複数の主ロープの張力を均等に調整するエレベータの主ロープ張力調整装置に関する。
【背景技術】
【０００２】
この種の従来技術として、複数の主ロープの先端に連結した各シンブルロッドをばね部材の伸長方向へ係合する共通プレートと、この共通プレートを上記伸張方向へ駆動するジャッキとで構成し、上記プレートによって上記各主ロープのシンブルロッドを保持し、上記ジャッキによって上記プレートを上記ばね部材のばね力が解除される伸張方向に移動させて上記シンブルロッドを支えている上記ばね部材に主ロープによる力が作用しないようにし、これにより上記ばね部材の力が作用しない状態で上記シンブルロッドに螺合されたナットを回して調整することができるエレベータの主ロープ張力調整装置が知られている（例えば、特許文献１参照）。
【特許文献１】特開平４−２９８４７４号公報
【発明の開示】
【発明が解決しようとする課題】
【０００３】
しかしながら、上述した従来のものでは、ナットを軽く回せるようにするためにばね力を完全に解除する際、ジャッキの可動ストロークは上記ナットの調整量とばね部材の伸長量とを含めた比較的大きなものとなり、その結果、装置が大型化するという問題があった。このような装置は、通常、既に建屋に設置されたエレベータの主ロープが伸びることによって生じる調整作業を行なうために使用されるもので、作業をする毎に装置を運搬する必要があり、装置の大型化、高重量化は、作業者の利便性を著しく悪化させるという問題があった。また、近年のエレベータは、従来、乗かごやつり合いおもりを駆動する駆動装置や制御装置を、建屋上に設けた機械室内に配置していたのに対し、省スペース化のために機械室を廃し、それら装置を昇降路内に設置するものが主流となっている。このような機械室レス式のエレベータは、昇降路内のスペースも余裕がなく、大型の装置の設置が制限されるという問題もあった。
【０００４】
本発明は、上述した従来技術における実状からなされたもので、その目的は、運搬が容易で、かつ比較的狭い昇降路内スペースにも設置可能な小型、軽量のエレベータの主ロープ張力調整装置を提供することにある。
【課題を解決するための手段】
【０００５】
上記目的を達成するために、本発明は、乗かごおよびつり合いおもりを懸垂する複数の主ロープの先端に、支持部材の反対側へ端を導出したシンブルロッドをそれぞれ連結し、これらのシンブルロッドに螺合したナットと上記支持部材との間にばね部材を介在させて成るエレベータにあって、上記複数の主ロープの張力を均等に調整するエレベータの主ロープ張力調整装置において、上記各シンブルロッドに係合し、上記ばね部材の上端側に当接する第１のプレートと、上記各シンブルロッドに係合し、上記ナットの下端側に当接する第２のプレートと、上記第１のプレートと上記第２のプレートとの間に配置され、上記第１のプレートと上記第２のプレートとの間隔を押し広げる方向に伸張可能なジャッキとを設けたことを特徴としている。
【０００６】
このように構成した本発明は、上記ばね部材の上端側に当接させた上記第１のプレートと、上記ナットの下端側に当接させた上記第２のプレートとの間にジャッキを配置し、このジャッキを伸張させることにより主ロープの張力調整を行うことから、上記第１のプレートと上記第２のプレートとの間隔を押し広げた量がそのまま調整量となり、上記ジャッキの可動ストロークを必要最小限に抑えることができ、これにより装置を小型、軽量化することができる。
【発明の効果】
【０００７】
本発明は、ばね部材の伸長方向の端面に当接する第１のプレートと、ナットのばね部材側面に当接する第２のプレートと、上記第１のプレートと上記第２のプレートとの間に配置され、上記第１のプレートと上記第２のプレートの間隔を押し広げるジャッキとを設けたことで、上記第１のプレートと上記第２のプレートとの間隔を押し広げた量がそのまま調整量となるので、上記ジャッキの可動ストロークを必要最小限に抑えることができ、これにより装置を小型、軽量化し、装置の運搬に関わる作業者の利便性を向上できるばかりでなく、昇降路内スペースが比較的狭いエレベータ、特に、機械室レス式のエレベータでも使用することができるという効果がある。
【発明を実施するための最良の形態】
【０００８】
以下、本発明に係るエレベータの主ロープ張力調整装置の実施形態を図に基づいて説明する。
【０００９】
図７は本発明を適用するエレベータ昇降路の概略機器構成を示す縦断面図である。
【００１０】
昇降路１内には図７に示すように、その下方にかごガイドプーリ２、３を備えてなる乗かご４と、その上方におもりガイドプーリ５を備えてなるつり合いおもり６と、最上部に設置される支持部材７と、この支持部材７に支持される頂部ガイドプーリ８、９と、同じく支持部材７に支持され詳細を後述するシンブルロッド１０、１１と、最下部に配設されシーブ１２を備えてなる巻上機１３と、その一端がシンブルロッド１０に連結され、かごガイドプーリ２、３、頂部ガイドプーリ８、シーブ１２、頂部ガイドプーリ９、おもりガイドプーリ５を巻回して、もう一端がシンブルロッド１１に連結されて構成する主ロープ１４が設置されている。尚、この主ロープ１４は１本のように図示しているが、複数本並列に設けられている。
【００１１】
次に、主ロープ１４の端部を支持するシンブルロッド１０の構成を図６により説明する。図６は本発明を適用するエレベータの主ロープ端部の拡大構成図である。
【００１２】
上述した主ロープ１４の端部には図６に示すように、連結具であるロープソケット１５を介してシンブルロッド１０が設けられ、建屋梁などに固定される支持部材７を貫通して上方へ導出されている。このシンブルロッド１０の上方側には、張力調整ナット１６と、張力調整ナット１６の緩み止めのためのロックナット１７が螺合されており、この張力調整ナット１６と支持部材７間に間座１８を介してばね部材１９が配置されている。したがって、図７の乗かご４およびつり合いおもり６によって主ロープ１４に加えられる荷重は、このばね部材１９を介して弾性的に支持部材７で受けることになる。尚、主ロープ１４のシンブルロッド１１側の端部も同様の構成であることから説明を省略する。
【００１３】
次に、本発明の一実施形態によるエレベータの主ロープ張力調整装置の構成および張力調整作業を図１、２により説明する。図１、２は本発明のエレベータの主ロープ張力調整装置の一実施形態を示す説明図である。尚、図１、２にあって図３、４に示すものと同一のものには同一符号が付してある。
【００１４】
図１および図２に示す張力調整装置は、各シンブルロッド１０に係合し、ばね部材１９の上端側、すなわち間座１８の上面に当接する第１のプレート、例えばばね側プレート２０と、各シンブルロッド１０に係合し、ロックナット１７の下端側に当接する第２のプレート、例えばナット側プレート２１と、ナット側プレート２１とばね側プレート２０との間に配置され、これらプレート２０、２１間を押し広げる方向に伸張可能なジャッキ２２とから構成されている。また、ナット側プレート２１は図３に示すように、各シンブルロッド１０に係合する複数の切欠き部２１ａを有しており、ロックナット１７を外すことなく、ナット側プレート２１をシンブルロッド１０に係合させることができる。尚、ここではナット側プレート２１についてのみ説明しているが、ばね側プレート２０も切欠き部の径を除き同等に構成されることから説明を省略する。
【００１５】
次に、主ロープ１４の張力調整作業を図１、２により説明する。各主ロープ１４の各々に加わる張力を均等に調整する場合には、まず、ロックナット１７をスパナで緩め、ロックナット１７と間座１８との間に、ナット側プレート２１と、ばね側プレート２０と、最も収縮した状態のジャッキ２２とが挿入できる位置まで、ロックナット１７を手で回して動かし、ナット側プレート２１およびばね側プレート２０をそれぞれシンブルロッド１０に係合させた後、ナット側プレート２１とばね側プレート２０との間にジャッキ２２を挿入する。ここでは２台のジャッキ２２を使用し、プレートの両端部に配置するようにしている。この後、ジャッキ２２を駆動し伸張する。ここで双方のジャッキ２２の操作は交互に少しずつ行うようにし、片側に荷重が集中しないようにする。これにより図２に示すように、ナット側プレート２１とばね側プレート２０の間隔が広がり、シンブルロッド１０と共に張力調整ナット１６が上方へ移動することで、張力調整ナット１６と間座１８の間に隙間が生じる。つまり、この状態では張力調整ナット１６にはばね部材１９のばね力、すなわち主ロープ１４の張力が全く掛かっていないので、手で軽く回すことができる。手で張力調整ナット１６を回して間座１８に当たるまで動かした後、ジャッキ２２を収縮させる。さらに、ロックナット１７を手で回してナット側プレート２１に当たるまで動かす。これらの手順を繰り返すことにより所定量まで調整することができる。所定量まで達したならば、ジャッキ２２、ナット側プレート２１、ばね側プレート２０を取外し、ロックナット１7を手で回して張力調整ナット１６に当たるまで動かし、張力調整ナット１６が緩まないようにスパナでロックナット１７を締め込む。
【００１６】
尚、上記の実施形態では、ナット側プレート２１は切欠き部２１ａによりシンブルロッド１０へ係合する構成としたが、プレート強度を確保するために、図４に示すように穴２１ｂを設けた構成とし、ロックナット１７を一度シンブルロッド１０から取外し、ナット側プレート２１を挿入するようにしてもよいし、図示しないが長手方向の端部を折り曲げてＬ字形もしくはコ字形としてもよいし、図５に示すように、切欠き部２１ａを有する薄厚のナット側プレート２１を２枚使って、前後で交差するように挿入するようにしてもよい。また、以上のことは、ばね側プレート２０についても同様のことが言える。さらに、本実施形態ではジャッキ２２として油圧ジャッキを用いているが、パンタグラフジャッキ等のねじを用いたものや、減速機構を用いたものや、梃原理のジャッキを用いてもよい。また、ジャッキ２２の位置ずれを防止する凹みを設け、ジャッキ２２を嵌合させるようにしてもよい。
【００１７】
以上説明した本実施形態によれば、ばね側プレート２０とナット側プレート２１との間隔を押し広げた量がそのまま調整量となるので、ジャッキ２２の可動ストロークを必要最小限に抑えることができ、したがって、シンブルロッド１０、１１のばね部材１９よりも突出した部分のスペースのみで収まる程度の小型の装置で、迅速かつ簡便に複数本の主ロープ１４の張力を各々均等に調整することができる。
【００１８】
次に、本発明の他の実施形態によるエレベータの主ロープ張力調整装置について、図８、９により説明する。図８、９は本発明のエレベータの主ロープ張力調整装置の他の実施形態を示す説明図である。尚、図８、９にあって図１乃至図７に示すものと同等のものには同一符号が付してある。
【００１９】
図８、９に示す張力調整装置は、ばね部材１９の上端側、すなわち間座１８の上面に当接する第１のプレート、例えばばね側プレート２０と、各シンブルロッド１０に係合し、ロックナット１７の下端側に当接するとともに油圧ジャッキ２４を一体に備えたジャッキ付きプレート２３とから構成されている。ジャッキ付きプレート２３の構造は、油圧ジャッキ２４から伸張するシリンダ部２４ａの突出口がプレート部と結合し、油圧ジャッキ２４本体がロックナット１７側に配置され、油圧ジャッキ２４を駆動することで、プレート部を導出してシリンダ部２４ａがばね側プレート２０側へ伸張するようになっている。
【００２０】
次に、上記のように構成した他の実施形態による主ロープ１４の張力調整作業を図８、９により説明する。各主ロープ１４の各々に加わる張力を均等に調整する場合には、まず、ロックナット１７をスパナで緩め、ロックナット１７と間座１８との間に、ジャッキ付きプレート２３と、ばね側プレート２０とが挿入できる位置まで、ロックナット１７を手で回して動かし、ジャッキ付きプレート２３と、ばね側プレート２０をそれぞれシンブルロッド１０に結合させた後、油圧ジャッキ２４を駆動しシリンダ部２４ａを伸張する。ここでは、２本のジャッキ２４を配置しているが、双方の油圧ジャッキ２４の操作は交互に少しずつ行うようにし、片側に荷重が集中しないようにする。これにより図９に示すように、ジャッキ付きプレート２３とばね側プレート２０の間隔が広がり、シンブルロッド１０と共に張力調整ナット１６が上方へ移動することで、張力調整ナット１６と間座１８の間に隙間が生じる。つまり、この状態では張力調整ナット１６にはばね部材１９のばね力、すなわち主ロープ１４の張力が全く掛かっていないので、手で軽く回すことができる。手で張力調整ナット１６を回して間座１８に当たるまで動かした後、油圧ジャッキ２４を収縮させる。さらに、ロックナット１７を手で回してジャッキ付きプレート２３に当たるまで動かす。これらの手順を繰り返すことにより所定量まで調整することができる。所定量まで達したならば、ジャッキ付きプレート２３、ばね側プレート２０を取外し、ロックナット１7を手で回して張力調整ナット１６に当たるまで動かし、張力調整ナット１６が緩まないようにスパナでロックナット１７を締め込む。
【００２１】
尚、油圧ジャッキ２４をねじ込み構造とし、ジャッキ付きプレート２３との着脱を可能としてもよい。
【００２２】
以上説明した本発明の他の実施形態によれば、シンブルロッド１０、１１の上方の部分に油圧ジャッキ２４の本体を配置したことで、シンブルロッド１０、１１の前後左右のスペースが狭いエレベータについても、軽量、小型の装置で、迅速、かつ簡便に複数本の主ロープ１４の張力を各々均等に調整することができる。
【図面の簡単な説明】
【００２３】
【図１】本発明のエレベータの主ロープ張力調整装置の一実施形態を示す正面図である。
【図２】主ロープ張力調整装置のジャッキを伸張させた状態を示す正面図である。
【図３】主ロープ張力調整装置の第２のプレートの詳細を示す平面図である。
【図４】主ロープ張力調整装置の第２のプレートの他の構成を示す平面図である。
【図５】主ロープ張力調整装置の第２のプレートの他の構成を示す平面図である。
【図６】本発明を適用するエレベータの主ロープ端部の拡大構成図である。
【図７】本発明を適用するエレベータ昇降路の概略機器構成を示す縦断面図である。
【図８】本発明のエレベータの主ロープ張力調整装置の他の実施形態を示す正面図である。
【図９】図８の主ロープ張力調整装置のジャッキを伸張させた状態を示す正面図である。
【符号の説明】
【００２４】
１      昇降路
２、３ かごガイドプーリ
４      乗かご
５      おもりガイドプーリ
６      つり合いおもり
７      支持部材
８、９ 頂部ガイドプーリ
１０、１１  シンブルロッド
１２    シーブ
１３    巻上機
１４    主ロープ
１５    ロープソケット
１６    張力調整ナット
１７    ロックナット
１８    間座
１９    ばね部材
２０    ばね側プレート（第１のプレート）
２１    ナット側プレート（第２のプレート）
２２    ジャッキ
２３    ジャッキ付きプレート
２４    油圧ジャッキ
２４ａ  シリンダ部
【図１】
2006124064.tif 000003
【図２】
2006124064.tif 000004
【図３】
2006124064.tif 000005
【図４】
2006124064.tif 000006
【図５】
2006124064.tif 000007
【図６】
2006124064.tif 000008
【図７】
2006124064.tif 000009
【図８】
2006124064.tif 000010
【図９】
2006124064.tif 000011